(57)【要約】【課題】移動体通信技術一般、及び特にネットワーク指令サービス状態の装置及び方法。【解決手段】移動局でのネットワーク指令サービス状態命令の一方法で、以下のステップを含む。（ａ）移動局から、ネットワークを介して、ネットワークに伴うサービスを要求する発信メッセージを送信する。（ｂ）発信メッセージに応答して、サービス要求の状態の指示を、ネットワークを介して移動局で受信する。この状態指示は要求サービスの許可及び要求サービスの拒否の一つである。（ｃ）受信したサービス要求指示に従って、明確な状態で移動局を作動させる。【選択図】図２
2011004417.tif 000002
【特許請求の範囲】
【請求項１】
サービスに関連付けられたサービス呼び出し制御状態機械を有する移動局における方法であって、
前記方法は、
ネットワークを用いてサービスを要求する発信メッセージを前記ネットワークを介して送信することと、
前記発信メッセージに応答して、前記ネットワークの制御チャンネルを介して状態メッセージを受信することであって、前記状態メッセージは、第１の値および第２の値のうちの１つを含み、前記第１の値は、要求されたサービスを許可することを示し、前記第２の値は、前記要求されたサービスを拒否することを示す、ことと、
前記状態メッセージが、前記要求されたサービスを拒否することを示す前記第２の値を含む場合には、前記サービス呼び出し制御状態機械をヌル状態に遷移させることと
を含む、方法。
【請求項２】
前記制御チャンネルは、呼び出しチャンネルを含む、請求項１に記載の方法。
【請求項３】
前記ネットワークは、ＣＤＭＡネットワークを含み、前記発信メッセージを送信することは、前記サービス呼び出し制御状態機械が休眠状態およびアイドル状態のうちの１つの状態にある間に前記発信メッセージを送信することを含む、請求項１に記載の方法。
【請求項４】
ネットワークパラメータの変化を検知することと、検知された変化に応答して前記発信メッセージを送信することとをさらに含む、請求項１に記載の方法。
【請求項５】
前記要求されたサービスは、回線交換サービスである、請求項１に記載の方法。
【請求項６】
前記要求されたサービスは、パケットデータサービスである、請求項１に記載の方法。
【請求項７】
前記状態メッセージは、前記要求されたサービスの状態を一義的に示す状態指標を含み、前記状態指標は、前記第１の値および前記第２の値のうちの１つである、請求項１に記載の方法。
【請求項８】
前記状態メッセージが、前記要求されたサービスを許可することを示す前記第１の値を含む場合には、前記要求されたサービスに関連付けられた前記サービス呼び出し制御状態機械を休眠状態に遷移させることをさらに含む、請求項１に記載の方法。
【請求項９】
ネットワークのサービスに関連付けられたサービス呼び出し状態機械を含む移動局であって、前記サービス呼び出し状態機械は、方法を実行するように構成されており、
前記方法は、
第１の状態から第２の状態に遷移し、前記ネットワークを用いてサービスを要求する発信メッセージを前記ネットワークを介して送信することを促進することと、
前記第２の状態において、前記移動局が、前記発信メッセージに応答して、前記ネットワークの制御チャンネルを介して状態メッセージを受信することであって、前記状態メッセージは、第１の値および第２の値のうちの１つを含み、前記第１の値は、要求されたサービスを許可することを示し、前記第２の値は、前記要求されたサービスを拒否することを示す、ことと、
前記状態メッセージが、前記要求されたサービスを拒否することを示す前記第２の値を含む場合には、前記第２の状態からヌル状態に遷移することと
を含む、移動局。
【請求項１０】
前記制御チャンネルは、呼び出しチャンネルを含む、請求項９に記載の移動局。
【請求項１１】
前記第１の状態は、休眠状態およびアイドル状態のうちの１つを含む、請求項９に記載の移動局。
【請求項１２】
前記状態機械は、前記ネットワークのパラメータの変化を検知することと、前記検知された変化に応答して前記第１の状態から前記第２の状態に遷移することとを行うように構成されている、請求項１１に記載の移動局。
【請求項１３】
前記要求されたサービスは、回線交換サービスである、請求項１１に記載の移動局。
【請求項１４】
前記要求されたサービスは、パケットデータサービスである、請求項１１に記載の移動局。
【請求項１５】
コンピュータ処理命令を格納するコンピュータ読み取り可能な媒体であって、前記コンピュータ処理命令が、移動局の処理ユニットによって実行されると、方法を実行することを前記移動局に行わせ、
前記方法は、
ネットワークを用いてサービスを要求する発信メッセージを前記移動局から前記ネットワークを介して送信することと、
前記発信メッセージに応答して、前記ネットワークの制御チャンネルを介して状態メッセージを受信することであって、前記状態メッセージは、第１の値および第２の値のうちの１つを含み、前記第１の値は、要求されたサービスを許可することを示し、前記第２の値は、前記要求されたサービスを拒否することを示す、ことと、
前記状態メッセージが、前記要求されたサービスを拒否することを示す前記第２の値を含む場合には、前記要求されたサービスに関連付けられたサービス呼び出し制御状態機械をヌル状態に遷移させることと
を含む、コンピュータ読み取り可能な媒体。
【請求項１６】
前記制御チャンネルは、呼び出しチャンネルを含む、請求項１５に記載のコンピュータ読み取り可能な媒体。
【請求項１７】
前記ネットワークは、ＣＤＭＡネットワークを含み、前記発信メッセージを送信することは、前記サービス呼び出し制御状態機械が休眠状態およびアイドル状態のうちの１つの状態にある間に前記発信メッセージを送信することを含む、請求項１５に記載のコンピュータ読み取り可能な媒体。
【請求項１８】
前記発信メッセージを送信することは、前記移動局が、ネットワークパラメータの変化を検知することと、検知された変化に応答して前記１つの状態から前記発信メッセージを送信することとを含む、請求項１７に記載のコンピュータ読み取り可能な媒体。
【請求項１９】
ネットワークのパケットデータサービスに関連付けられたサービス呼び出し制御状態機械を有する移動局における方法であって、
前記方法は、前記ネットワークのネットワークパラメータの変化を検知したことに応答して、休眠のパケットデータサービス再接続を行うことを含み、
前記休眠のパケットデータサービス再接続は、
サービス呼び出し制御状態機械が休眠状態にある間に、前記ネットワークを用いて前記パケットデータサービスを要求する発信メッセージを送信することと、
前記発信メッセージに応答して、前記ネットワークを介して状態メッセージを受信することであって、前記状態メッセージは、第１の値および第２の値のうちの１つを含み、前記第１の値は、要求されたサービスを許可することを示し、前記第２の値は、前記要求されたサービスを拒否することを示す、ことと、
前記状態メッセージが、前記要求されたサービスを拒否することを示す前記第２の値を含む場合には、前記サービス呼び出し制御状態機械をヌル状態に遷移させることと
を含む、方法。
【請求項２０】
前記休眠のパケットデータサービス再接続は、
前記状態メッセージがサービスが許可されたという値を含む場合であり、かつ、送信するデータが存在しない場合には、前記サービス呼び出し制御状態機械を前記休眠状態に遷移させることをさらに含む、請求項１９に記載の方法。
【発明の詳細な説明】
【技術分野】
【０００１】
この応用技術は移動体通信技術一般、及び特にネットワーク指令サービス状態の装置及び方法に関するものである。
【背景技術】
【０００２】
既知の符号分割多重接続（ＣＤＭＡ）ベースのネットワークにおいて、基地局（ＢＳ）は様々な事項を示すために移動局（ＭＳ）に、呼び出しチャンネル（ＰＣＨ）上で解放命令を送ることが出来る。しかし、ＭＳは、おそらくはＩＳ−２０００．５に示されるサービスオプション拒否解放命令を除いては、解放命令の意図が真に何であるかを明確に決定することが出来ない。ＰＣＨ上での解放は典型的にはネットワーク資源を節約するために送信される。例えば、ネットワークが、トラフィックチャンネル資源を割り当てる必要がないと見なすときである。仮に、解放命令の意図がＭＳに対して充分に明確でないと、ＭＳは意図した目的に供することが出来ない。いくつかの場合において、ＭＳはより悪いことをする可能性がある。例えば、ＭＳは複数の再試行努力を始めてしまい、ＰＣＨ上での解放の目的を逸脱してしまう可能性がある。
【０００３】
上記の問題の二つの例は、現在のＣＤＭＡベースのネットワーク上で見られ得る。
【０００４】
第一に、もし移動発信（ＭＯ）ショートメッセージングサービス（ＳＭＳ）が許可されず、ＭＳがＳＭＳサービスオプションを示して発信試行をすると、その後、ＢＳは、トラフィックチャンネルを許可せずにＰＣＨ上で解放命令を送信する。このことは、ＭＳにＭＯ  ＳＭＳが供給されない、或いはＳＭＳを送信することを許さない他のネットワークにＭＳが移動するときにあてはまる。しかし、ＭＳは、受信した情報から解放の実際の原因を決定することができず、再試行を何度もすることさえある。加えて、ＭＳは利用者に失敗の正確な理由を示すことが出来ない可能性がある。
【０００５】
第二に、パケットデータ能力のあるＭＳは、ＩＳ−７０７に示されるように、システム識別子（ＳＩＤ）、ネットワーク識別子（ＮＩＤ）、或いはパケットゾーン識別子（ＰＩＤ）が存在するときはいつでも、その休眠セッションを「再接続」することを要求される。仮に、ＭＳが単にＢＳ境界を横切るが、まだ稼動しているパケットデータサービスノード（ＰＤＳＮ）の範囲内にあるなら、ポイントツーポイントプロトコル（ＰＰＰ）接続を再ネゴシエイトする必要がない。ＭＳが０にセットされた（Ｄａｔａ  Ｒｅａｄｙ  Ｔｏ  Ｓｅｎｄ）ＤＲＳフィールドを伴いパケットデータ発信を送信する（つまり、ＭＳが送信する実データを持っていない）とき、いくつかの実装にあるように、ＢＳが他の実装と共に、再接続が成功したことを示すためだけに全経路を通してトラフィック状態にＭＳを運ぶ間、ＢＳはＰＣＨ上で解放命令を送信することが出来る。何の理由も与えられずに解放命令がＰＣＨ中に送信される場合、ＭＳは、解放が再接続成功を肯定的に示すものとして意図されたと確認することが出来ない。ネットワーク（例えば、データローミング同意を持たない外部ネットワーク）は、同様にサービスを拒否するために解放命令を送信することが出来る。常時オン常時接続しているＭＳにとって解放命令の意図を明確に決定出来ることは最重要である。そうでなければ、ＭＳは、ＰＰＰ接続がまだあるか或いはないかという意図を強制的に見つけなければならない（つまり、それに続くパケットデータ発信を作動させる）。
【０００６】
ただ試行が成功したと意味するために全経路を通って、再接続がトラフィック状態に運ばれるとき、これはトラフィックチャンネル資源を無駄にし、トラフィック状態により望まない電池消費を招く可能性がある。
【発明の概要】
【課題を解決するための手段】
【０００７】
（発明の要旨）
本発明の第一の局面によると、移動局との通信ネットワークを通しての通信方法が与えられる。該方法は以下のステップを含む。（ａ）ネットワークと共にあるサービスを要求する発信メッセージをネットワークを通して、移動局から送信する。（ｂ）発信メッセージに応答して、ネットワークを通してサービス要求状態指示を移動局で受信する。この状態指示は要求されたサービスの許可及び要求されたサービスの拒否の一つである。そして、（ｃ）受信したサービス要求指示に従って明確な状態で移動局を作動させる。
【０００８】
一つの実装では、サービス要求指示受信のステップは、呼び出しチャンネルのようなネットワークの制御チャンネルを通してサービス要求指示を受信することを含む。発信メッセージ送信ステップは、移動局の休眠状態或いはアイドル状態のいずれかからの発信メッセージを送信することを含む。発信メッセージ送信ステップは同様に、移動局で、ネットワークパラメータの変化を検知して、その検知された変化に応答して一つの状態から発信メッセージを送ることを含む。
【０００９】
サービス状態指示は、サービス状態命令検定子がサービス許可及びサービス拒否を識別するようなサービス命令検定子コードを有する解放命令メッセージを含むことが出来る。更に、サービス状態命令認定子はサービス拒否及びサービス拒否理由を識別することが出来る。
【００１０】
要求されたサービスは回路切り換えサービスか、或いはパケットデータサービスでよい。
【００１１】
本発明の第二の局面によると、ＣＤＭＡネットワークを通した通信を移動局に与える。移動局は以下のステップを実行するように構成されたサービス呼び出し状態機械を含む、（ａ）送信が開始される発信状態から要求されたサービスに関係したサービス状態への遷移により、ネットワークと共にあるサービスを要求する発信メッセージの、ネットワークを通しての、送信を備える、（ｂ）サービス状態において、発信メッセージに応答して、サービス要求の状態の指示をネットワークを介して受信する。この状態指示は要求サービスの許可及び要求サービスの拒否の一つである。（ｃ）受信したサービス要求指示に従ってサービス状態から発信状態及びヌル状態の一つへ遷移する。
【００１２】
本発明の他の局面及び特徴は、以下の記述を見ることで当業者にとって明らかとなる。
例えば、本発明は以下の項目を提供する。
（項目１）
以下のステップを含む、移動局を伴う通信ネットワークを介した通信方法：
（ａ）移動局から、ネットワークを介して、ネットワークを伴うサービスを要求する発信メッセージを送信すること、
（ｂ）発信メッセージに応答して、移動局で、状態指示は要求サービスの許可及び要求サービスの拒否の一つであるサービス要求状態指示をネットワークを介して受信すること、および
（ｃ）受信したサービス要求指示に従って明確な状態で移動局を作動させること。
（項目２）
上記サービス要求指示受信のステップは、ネットワークの制御チャンネルを介してサービス要求指示を受信することを含む、項目１に記載の方法。
（項目３）
上記制御チャンネルは呼び出しチャンネルを含む、項目２に記載の方法。
（項目４）
上記通信ネットワークはＣＤＭＡネットワークを含み、上記発信メッセージ送信のステップは移動局の休眠状態及びアイドル状態の一つから発信メッセージを送信することを含む、項目２に記載の方法。
（項目５）
上記発信メッセージ送信のステップは、移動局で、ネットワークパラメータの変化を検知すること、および該検知された変化に応答して一つの状態から発信メッセージを送信することを含む、項目４に記載の方法。
（項目６）
上記サービス状態指示は、サービス命令検定子コードを有する解放命令メッセージを含み、該サービス状態命令検定子はサービス許可及びサービス拒否の一つを識別する、項目４に記載の方法。
（項目７）
上記サービス状態命令検定子はサービス拒否及びサービス拒否理由を識別する、項目６に記載の方法。
（項目８）
上記要求されるサービスは回路切り替えサービスである、項目４に記載の方法。
（項目９）
上記要求されるサービスはパケットデータサービスである、項目４に記載の方法。
（項目１０）
移動局は以下のステップを実行するように構成されたサービス呼び出し状態機械を含む、ＣＤＭＡネットワークを介して通信する移動局、
（ａ）送信が開始される発信状態から要求されるサービスに関連付けられるサービス状態に遷移することにより、ネットワークに伴うサービスを要求する発信メッセージのネットワークを介しての送信を備えること、
（ｂ）サービス状態において、発信メッセージに応答して、状態指示は要求サービスの許可及び要求サービスの拒否の一つであるサービス要求状態指示をネットワークを介して受信すること、および
（ｃ）サービス状態から受信されたサービス要求指示に従って発信状態及びヌル状態の一つへ遷移すること。
（項目１１）
上記状態機械はネットワークの制御チャンネルを介してサービス要求指示を受信するように構成されている、項目１０に記載の移動局。
（項目１２）
上記制御チャンネルは呼び出しチャンネルを含む、項目１１に記載の移動局。
（項目１３）
上記発信状態は休眠状態及びアイドル状態の一つを含む、項目１１に記載の移動局。
（項目１４）
上記状態機械は、ネットワークのパラメータの変化を検知し、検知した変化に応答して一つの状態から送信することを備えるように構成される、項目１３に記載の移動局。
（項目１５）
上記サービス状態指示は、サービス命令検定子コードを有する解放命令メッセージを含み、サービス状態命令検定子はサービス許可及びサービス拒否の一つを識別する、項目１３に記載の移動局。
（項目１６）
上記サービス状態命令検定子はサービス拒否及びサービス拒否理由を識別する、項目１５に記載の移動局。
（項目１７）
上記要求されるサービスは回路切り替えサービスである、項目１３に記載の移動局。
（項目１８）
上記要求されるサービスはパケットデータサービスである、項目１３に記載の移動局。
（項目１９）
上記移動局の処理ユニットにより実行されるとき、以下のステップを移動局に実行させるコンピューター処理命令を記憶するコンピューター読み込みが可能な媒体：
（ａ）ネットワークを伴うサービスを要求する発信メッセージを、移動局からネットワークを介して送信すること、
（ｂ）該発信メッセージに応答して、移動局で、状態指示は要求サービスの許可及び要求サービスの拒否の一つである、サービス要求状態指示をネットワークを介して受信すること、および
（ｃ）受信されたサービス要求指示に従って明快な状態で移動局を作動させること。
（項目２０）
上記サービス要求指示受信のステップは、ネットワークの制御チャンネルを介してサービス要求指示を受信することを含む、項目１９に記載のコンピューター読み込み可能な媒体。
（項目２１）
上記制御チャンネルは呼び出しチャンネルを含む、項目２０に記載のコンピューター読み込み可能な媒体。
（項目２２）
上記通信ネットワークはＣＤＭＡネットワークを含み、発信メッセージ送信のステップは移動局の休眠状態及びアイドル状態の一つから発信メッセージを送信することを含む、項目２０に記載のコンピューター読み込み可能な媒体
（項目２３）
上記発信メッセージ送信のステップは、移動局で、ネットワークパラメータの変化を検知し、検知した変化に応答して一つの状態から発信メッセージを送信するというステップを含む、項目２２に記載のコンピューター読み込み可能な媒体。
（項目２４）
上記サービス状態指示は、サービス命令検定子コードを有する解放命令メッセージを含み、サービス状態命令検定子はサービス許可及びサービス拒否の一つを識別する、項目２２に記載のコンピューター読み込み可能な媒体。
（項目２５）
上記サービス状態命令検定子はサービス拒否及びサービス拒否理由を識別する、項目２４に記載のコンピューター読み込み可能な媒体。
【図面の簡単な説明】
【００１３】
【図１】図１は本発明に従って与えられる装置の実施形態を説明する。
【図２】図２は本発明に従って与えられるパケットデータ呼び出し制御状態機械を説明する。
【図３】図３は本発明に従って与えられる回路切り換えサービス呼び出し制御状態機械を説明する。
【図４】本発明の作動を説明する相互作用図である。
【図５】本発明による移動局を説明するブロック図である。
【発明を実施するための形態】
【００１４】
本発明によると、再接続が成功したか失敗したかを明確に示すために「有意ＯＲＤＱ」を伴う呼び出しチャンネルにおける解放命令を可能にすることが出来る技術が提供される。これらの有意の形式の解放命令は、これ以降、既知の解放命令とよりよく区別するために、サービス解放命令と呼ぶ。
【００１５】
サービス解放命令の原因を明確に示すために、追加命令検定コード（ＯＲＤＱ）が提供される。次の新規のＯＲＤＱ値が、解放命令（命令＝０１０１０１）に関して提示される。
【００１６】
ＯＲＤＱ＝０００００１００（「サービス拒否」が要求されたと指示）
ＯＲＤＱ＝０００００１０１（「サービス許可」が要求されたと指示）
上記に提示されたＯＲＤＱパラメータの値は説明のためのみであり、本発明の範囲を限定する意図はなく、サービス解放命令において用いることが出来るであろうＯＲＤＱ解放パラメータの全ての異なる値を含み、その値の選択は本発明の当業者に明らかである。更に、各ＯＲＤＱに割り当てられる実際の数字は本発明が用いられるＣＤＭＡベースのネットワークのバージョンにより変化し得ると考えられる。
【００１７】
本発明によると、有利な態様としては、要求されたサービスがネットワークにより拒否されたとＭＳに伝えられるとき、ＯＲＤＱ＝「サービス拒否」を伴う解放命令を送るようにネットワークが可となる。パケットデータサービスにおいて再接続成功のために、要求された「サービス許可」とＭＳに伝えられるとき、ネットワークは呼び出しチャンネル上でＯＲＤＱ＝「サービス許可」を伴う解放命令を送る。
【００１８】
図を参照すると、図１は本発明に従って与えられた装置の一形態を説明する。符号分割多重接続をベースとしたネットワーク１００は、移動局ＭＳ１２０と通信する為に適合されたベースステーション／ホーム位置登録器ＢＳ／ＨＬＲ１１０を提供される。ＭＳ１２０は、「ＳＥＲＶＩＣＥ  ＤＥＮＩＥＤ」と「ＳＥＲＶＩＣＥ  ＧＲＡＮＴＥＤ」のうち一つと等しいＯＲＤＱ値を持つサービス解放命令のようなサービス状態命令１５０によって作動される少なくとも一つの状態遷移１４０を有するサービスコール制御状態機械１３０を含む。
【００１９】
特定の形態においては、サービスコール制御状態機械は、本発明が用いられるＣＤＭＡベースのネットワークと移動局の、特定の要求事項に適合されるべきであると考えられる。例えば、パケットデータサービスを用いるＩＳ−２０００ＣＤＭＡベースのネットワークと移動局において、図２の状態機械は移動局で用いることが出来るが、それに対し、回路切り換えサービスを用いるＩＳ−２０００ＣＤＭＡベースのネットワークおよび移動局においては、図３の状態機械が移動局で用いることが出来、パケットデータおよび回路切り換えの両方のサービスを用いるＩＳ−２０００ＣＤＭＡベースのネットワークおよび移動局においては、図２と図３の両方の状態機械が移動局で提供し得る。
【００２０】
今、図２を見ると、図２は本発明に従って提供されるパケットデータサービスコール制御状態機械を説明する。状態機械２００は、サービス状態命令検定コードを持つ解放命令により提供されて、サービス状態命令により作動される一つの休眠状態２１０、一つの再接続状態２２０、一つのヌル状態２３０、一つの初期化状態２４０、一つの接続状態２５０、および二つの遷移２２１、２２３を含む。
【００２１】
はじめ休眠状態２１０にあるＭＳを考えると、例えば、稼動しているＳＩＤ、ＮＩＤ或いはＰＩＤが変化したとき、ＭＳは再接続する必要がある可能性があるが、送信するデータを持っていない可能性がある。有利な態様としては、「ＣＯＮＮＥＣＴ  ＮＯ  ＳＥＮＤ  ＳＥＲＶＩＣＥ」２１２遷移を経由する休眠状態２１０から再接続状態２２０へのＭＳ遷移である。再接続状態２２０においては、ＭＳが送信するデータを持っていなくても、ＭＳはサービスの再接続を試みる。例えば、本発明のように発信要求を送信して、ネットワークによって提供されるサービス解放命令を待つことによって行う。
【００２２】
更に有利な態様としては、再接続２２０状態において、呼び出しチャンネル上の「ＳＥＲＶＩＣＥ  ＧＲＡＮＴＥＤ」２２１或いは「ＳＥＲＶＩＣＥ  ＤＥＮＩＥＤ」２２３のサービス解放命令のいずれか一つのサービス解放命令の受信を受け、再接続２２０からそれぞれ休眠２１０かヌル２３０のうち一つへ状態が遷移する。
【００２３】
一方で、休眠状態を得るために「サービス許可」遷移を取ると、ネットワークはサービスが許可されると示すために呼び出しチャンネル上でサービス解放命令を送信するので、ＭＳは休眠になることができる。ネットワーク又はＭＳは、遷移２４５のように専心的なトラフィックを通る必要はない。
【００２４】
また一方で、ヌル状態を得るために「サービス拒否」２２３遷移を取ると、ネットワークはサービスが拒否されると示すために呼び出しチャンネル上でサービス解放命令を送信するので、ＭＳはパケットデータを解除するために可となる。仮に、ＭＳが常に接続したままでいたければ、「ＥＳＴＡＢＬＩＳＨ  ＤＡＴＡ  ＳＥＳＳＩＯＮ」２３４遷移を経由してヌル状態２３０から初期化状態２４０に遷移する。例えば、稼動しているＳＩＤ、ＮＩＤ或いはＰＩＤが変化するときである。初期化状態２４０からは、状態は「ＳＥＩＶＣＥ  ＮＯＴ  ＣＯＮＮＥＣＴＥＤ」２４３遷移を経由してヌル２３０に遷移して戻ることが出来る。例えば、サービスオプションが接続されないときにパケットデータサービスが解除される場合である。しかし、仮に、パケットデータサービスが作動すると、状態は、「ＤＥＤＩＣＡＴＥＤ  ＣＨＡＮＮＥＬ  ＡＳＳＩＧＮＥＤ  ＡＮＤ  ＳＥＲＶＩＣＥ  ＣＯＮＮＥＣＴＥＤ」２４５を経由して、初期化２４０から接続２５０に遷移する。接続２５０状態にあるとき、ＭＳは、「ＣＡＬＬ  ＲＥＬＥＡＳＥＤ」２５１遷移を経由して休眠２１０になり得る。例えば、ＭＳがまだ送信するデータを持っていない場合である。
【００２５】
今、図３を見ると、図３は、本発明に従って提供された回路切り換えサービス呼び出し制御状態機械を説明する。状態機械３００は、サービス状態命令検定コードを持つ解放命令によって提供され、サービス状態命令によって作動される一つのアイドル状態３１０、一つのシステム接続発信試行状態３２０、一つのヌル状態３３０、一つの専心的トラフィックチャンネル通信状態３４０、二つの遷移３２１、３２３を含む。
【００２６】
はじめアイドル状態３１０にあるＭＳを考えると、例えば、利用者が電話をかけるときにＭＳは発信する必要があり得る。有利な態様としては、「ＣＯＮＮＥＣＴ  ＳＥＲＶＩＣＥ」３１２遷移を経由してアイドル状態３１０からシステム接続発信状態３２０へ遷移する。システム接続発信試行状態３２０において、ＭＳはサービス発信を試行する。例えば、発信要求を送信し、本発明のようなサービス状態命令検定コードを持つ解放命令において提供されるサービス状態命令を待つことによる。
【００２７】
更に有利な態様としては、システム接続発信試行３２０状態にいる間、「ＳＥＲＶＩＣＥ  ＧＲＡＮＴＥＤ」３２１又は「ＳＥＲＶＩＣＥ  ＤＥＮＩＥＤ」３２３のいずれか一つのサービス解放命令の受信を受けて、それぞれ、システム接続発信試行３２０からアイドル３１０又はヌル３３０のいずれか一つへ状態が遷移する。「ＳＥＲＶＩＣＥ  ＧＲＡＮＴＥＤ」３２１遷移は、回路切り換えデータサービスの場合のみ取られるが、それに対して、「ＳＥＲＶＩＣＥ  ＤＥＮＩＥＤ」３２３遷移は回路切り換えデータサービス、音声サービス、及びショートメッセージングサービス（ＳＭＳ）を非限定的に含む全ての態様の回路切り換えサービスに取ることが出来る。
【００２８】
一方で、アイドル状態を得るために「サービス許可」遷移を取ることで、例えば回路切り換えされたデータの場合、サービスが許可されることを示すために呼び出しチャンネル上でサービス解放命令をネットワークが送信したのでＭＳはアイドルになることが可になる。このことは、ＭＳが、割り当てられたチャンネル及びサービスと接続された遷移３２４を経由して、アイドル状態３１０に先立ち、トラフィックチャンネル通信状態３３０への専心的遷移をすることを避けることが出来るので、ＭＳが送信するデータを持っていないときは有利である可能性がある。
【００２９】
また一方で、ヌル状態を得るために「サービス拒否」遷移を取ると、サービスが許可されないことを示すために、ネットワークが呼び出しチャンネル上でサービス解放命令を送信したため、ＭＳは回路切り換えによるサービスを解除することが可となる。仮に、ＭＳが接続したい場合、新しいシステムに入るとき、「ＡＣＱＵＩＲＥ  Ａ  ＳＹＳＴＥＭ」３３１遷移を経由してヌル状態３３０からアイドル状態３１０へ遷移してから、「ＣＯＮＮＥＣＴ  ＳＥＲＶＩＣＥ」３１２を経由してシステム接続発信状態３２０に遷移する。システム接続発信状態３２０から、仮に、回路切り換えされたサービスが作動されると、状態は、「ＣＨＡＮＮＥＬ  ＡＳＳＩＧＮＥＤ  ＡＮＤ  ＳＥＲＶＩＣＥ  ＣＯＮＮＥＣＴＥＤ」３２４遷移を経由してシステム接続発信試行状態３２０から専心的トラフィックチャンネル通信状態３４０に遷移する。専心的トラフィックチャンネル通信３４０状態にいる間、ＭＳは、「ＣＡＬＬ  ＲＥＬＥＡＳＥＤ」３４１遷移を経由してアイドル３１０状態に移行することが出来る。
【００３０】
今、図４を見ると、図４は本発明の稼動を説明する相互作用図である。相互作用図４００において、ＭＳ４２０は休眠かアイドル状態４３０のいずれかで始める。そして、ステップ４４０で、ＭＳ４２０は発信する必要がある。例えば、なぜなら現在のシステムのＳＩＤ、ＮＩＤ、或いはＰＩＤが変化したからであり、或いは利用者がＳＭＳを利用したりして呼び出しをしたいからである。結果として、サービスオプション４４２を持つ発信メッセージ４４４がＭＳ４２０からＢＳ／ＨＬＲ４１０に向けて送信される。実行方法によって、ＢＳ／ＨＬＲ４１０はＡＣＫ命令４４７を持つレイヤー２ＡＣＫメッセージ４４５を送り返すことも出来るし、また送り返さなくてもよい。なぜなら、このＡＣＫは次のメッセージに上乗せすることが出来るからである。それには関わらず、ステップ４６０で、ＢＳ／ＨＬＲはＭＳ４２０の「ＰＲＯＴＯＣＯＬ  ＲＥＶＩＳＩＯＮ」の数値を確認する。例えば、発信メッセージ４４４から「ＰＲＯＴＯＣＯＬ  ＲＥＶＩＳＩＯＩＮ  ＮＵＭＢＥＲ」を得ることによってである。仮に、「ＰＲＯＴＯＣＯＬ  ＲＥＶＩＳＩＯＮ」が予め決められた値より大きいか等しいと、ＭＳ４２０は本発明によって提供されるサービス状態命令を支持し、「ＲＥＬＥＡＳＥ  ＳＥＲＶＩＣＥ」命令４７７を持つサービス解放メッセージ４７５は４７０に送信され、一方でＭＳはシステム４５０に接続する。実行方法によって、レイヤー２ＡＣＫメッセージ４４５が送られたか、或いは送られなくてもサービス解放メッセージ４７５は上乗せＡＣＫ４７８を含むことが出来る。サービス解放メッセージ４７５の受信を受けて、ＭＳ４２０はステップ４８０で、例えば、ヌル、アイドル、或いは休眠状態のような明確な状態４９０へＭＳ４２０が遷移する後で、サービス状態、すなわちサービスが許可されたか解放されたかを、決定する。
【００３１】
今、図５を見ると、図５は本発明の装置と方法の実施形態を含む移動局を説明するブロック図である。移動局５００は好ましくは、少なくとも音声及びデータ通信能力を有する双方向ワイヤレス通信デバイスである。移動局５００は好ましくはインターネット上の他のコンピューターシステムと通信する能力を有する。提供される正確な機能性次第で、ワイヤレスデバイスは、例えば、データメッセージングデバイス、双方向呼び出し機、ワイヤレス電子メールデバイス、データメッセージング機能付き携帯電話、ワイヤレスインターネットアプライヤンス、或いはデータ通信デバイスと呼ぶことが出来る。
【００３２】
移動局５００が双方向通信をすることが可の場合、それは、受信機５１２と送信機５１４の両方と、一つ或いはそれ以上の、好ましくは組み込みか内蔵の、アンテナ要素５１６及び５１８、局所発信機（ＬＯｓ）５１３、及びデジタルシグナルプロセッサー（ＤＳＰ）５２０のような一つの処理モジュールを含んだ通信下位システムを伴う。通信分野で習熟した者にとって明らかなように、通信下位システム５１１の特定の設計は、デバイスが稼動すると意図される通信ネットワークに依存する。例えば、移動局５００はＭｏｂｉｔｅｘＴＭ移動通信システム、ＤａｔａＴＡＣＴＭ移動通信システム、ＧＰＲＳネットワーク、ＵＭＴＳネットワーク、ＥＤＧＥネットワーク、或いはＣＤＭＡネットワークの中で作動するように設計された通信下位システムを含むことが出来る。
【００３３】
ネットワーク接続要求も同様にネットワーク５１９のタイプに依存して変化する。例えば、Ｍｏｂｉｔｅｘ及びＤａｔａＴＡＣネットワークにおいて、移動局５００は、各移動局に関連する個体識別番号を用いてネットワークに登録される。しかし、ＵＭＴＳ及びＧＰＲＳネットワーク及びいくつかのＣＤＭＡネットワークにおいて、ネットワーク接続は移動局５００の登録者或いは利用者に関連している。故に、ＧＰＲＳ移動局はＧＰＲＳネットワーク上で作動させるために登録者識別モジュール（ＳＩＭ）カードを、そしていくつかのＣＤＭＡネットワーク上で作動させるためにはＲＵＩＭを要求する。有効なＳＩＭ／ＲＵＩＭカード無しでは、ＧＰＲＳ／ＵＭＴＳ／ＣＤＭＡ移動局は完全に機能することは出来ない。ローカル或いは非ネットワーク通信機能と、「９１１」緊急通話のような法律で要求される（もし存在すれば）機能は提供可能である。しかし、移動局５００はネットワーク５００上での通信を含む他のどんな機能を実行することは出来ない。ＳＩＭ／ＲＵＩＭインターフェース５４４は通常、ディスケット或いはＰＣＭＣＩＡカードのようにＳＩＭ／ＲＵＩＭカードが挿入されたり排出されるカードスロットと同様である。ＳＩＭ／ＲＵＩＭカードはおよそ６４Ｋの記憶容量及び多数のキー配置５５１、及び個体識別及び登録者に関する情報など他の情報５３３を有することが出来る。
【００３４】
要求されたネットワーク登録或いは作動手続きが完了しているとき、移動局５００はネットワーク５１９を通して通信シグナルを送受信することが出来る。通信ネットワーク５１９を通してアンテナ５１６によって受信されたシグナルは、シグナル増幅器、周波数ダウンコンバージョン、フィルタリング、チャンネル選択、そして図５に示す例のシステムではアナログからデジタルへの（Ａ／Ｄ）変換などの通常受信機機能を実行できる受信機５１２に入力される。受信されたシグナルのＡ／Ｄ変換はＤＳＰ５２０において行われる変調及びデコードなどのより複雑な通信機能を可能にする。同様の態様において、送信されるシグナルはＤＳＰ５２０によって、例えば変調及びエンコードを含む処理をされ、アンテナ５１８を経由して通信ネットワーク５１９上でのデジタルからアナログへの変換、周波数アップコンバージョン、フィルタリング、増幅及び送信のために送信機５１４に入力される。ＤＳＰ５２０は通信シグナルを処理するだけではなく、受信機及び送信機制御のためにも提供する。例えば、受信機５１２及び送信機５１４において通信シグナルに適用される利得は、ＤＳＰ５２０に搭載された自動利得制御アルゴリズムを通じて適宜制御されることが出来る。
【００３５】
移動局５００は好ましくはデバイスの全動作を制御するマイクロプロセッサー５３８を含む。少なくともデータ及び音声通信を含む通信機能は通信下位システム５１１を通して行われる。マイクロプロセッサー５３８は同様に、ディスプレイ５２２、フラッシュメモリ５２４、ランダムアクセスメモリ（ＲＡＭ）５２６、補助入力／出力（Ｉ／Ｏ）下位システム５２８、シリアルポート５３０、キーボード５３２、スピーカ５３４、マイクロフォン５３６、短範囲通信下位システム５４０及び５４２で一般的に指定される他のデバイス下位システムのような更なるデバイス下位システムと相互作用する。
【００３６】
図５に示す下位システムのいくつかは通信関連機能を実行する。それに対して、他の下位システムは「常駐」或いはオンデバイス機能を提供することが出来る。特に、例えば、キーボード５３２及びディスプレイ５２２のようないくつかの下位システムは、通信ネットワーク上でのテキストメッセージの入力のような通信関連機能と、計算機或いはタスクリストのようなデバイス常駐機能の両方のために利用されることが出来る。
【００３７】
マイクロプロセッサー５３８によって用いられるオペレーティングシステムソフトウェアは好ましくは、フラッシュメモリ５２４のような、その代わりに読み込み専用メモリ（ＲＯＭ）或いは同様の記憶要素（示されていない）でもよいが、変化しない記憶装置に記憶される。このような技術において習熟した者はオペレーティングシステム、特定のデバイスアプリケーション、或いはその部分が一次的にＲＡＭ５２６のような揮発性メモリに読み込まれることを評価するであろう。受信した通信シグナルは同様にＲＡＭ５２６に記憶されることが出来る。
【００３８】
示されるように、フラッシュメモリ５２４は、コンピュータープログラム５５８及びプログラムデータ記憶装置５５０、５５２、５５４及び５５６の両方に対して異なる領域に分離することが出来る。これらの異なる記憶装置のタイプは、各々のプログラムがそれら自身のデータ記憶要求のためにフラッシュメモリ５２４の一部を割り当てることが出来ることを示す。マイクロプロセッサー５３８は、そのオペレーティングシステム機能に加えて、好ましくは移動局上のソフトウェアアプリケーションの実行を可能にする。例えば、少なくともデータ及び音声通信アプリケーションを含む基本動作を制御する予め決められた組のアプリケーションは、通常、製造中に移動局５００上にインストールされる。好ましいソフトウェアアプリケーションは、限定はされないが、電子メール、カレンダーイベント、音声メール、アポイントメント、及びタスク項目のような移動局の利用者に関係するデータ項目を整理し管理する能力を有する個人情報管理（ＰＩＭ）アプリケーションでもよい。当然、ＰＩＭデータ項目の記憶場所を備えるために、移動局上に一つ又はそれ以上の記憶装置があることが考えられる。そのようなＰＩＭアプリケーションは好ましくは、ワイヤレスネットワーク５１９を経由してデータ項目の送受信を行う能力を有する。一つの好ましい実施形態において、そのＰＩＭデータ項目は、ホストコンピューターに記憶されるか或いは関連付けられる移動局利用者の対応するデータ項目と共に、ワイヤレスネットワーク５１９を経由して、シームレスに統合、同期、更新される。更なるアプリケーションは、ネットワーク５１９、補助Ｉ／Ｏ下位システム５２８、シリアルポート５３０、短範囲通信下位システム５４０、或いは他の適当な下位システム５４２を通して、移動局５００上に読み込まれ、マイクロプロセッサー５３８による実行のために、利用者によって、ＲＡＭ５２６或いは好ましくは不揮発性記憶装置（示されていない）にインストールされる。アプリケーションのインストレーションにおけるそのような柔軟性は、デバイスの機能性を増加させ、強化されたオンデバイス機能、通信関連機能、或いはその両方を提供することが出来る。例えば、安全通信アプリケーションは、電子商業機能及び移動局５００を用いて行われるそのような金融取引を可能にすることが出来る。
【００３９】
データ通信モードにおいて、テキストメッセージ或いはウェブページのダウンロードなどの受信シグナルは通信下位システム５１１によって処理され、マイクロプロセッサー５３８へ入力され、これは好ましくは、ディスプレイ５２２或いは代わりに補助Ｉ／Ｏデバイス５２８への出力のために、更に受信シグナルを処理する。移動局５００の利用者は同様に、例えば電子メールメッセージのようなデータ項目を、好ましくは完全なアルファベットキーボード或いは電話型キーパッドであるキーボード５３２を用いて、ディスプレイ５２２及びおそらくは補助Ｉ／Ｏデバイス５２８と併用して、作成することが出来る。そのような作成された項目は、その後、通信下位システム５１１を通して通信ネットワーク上に送信されることが出来る。
【００４０】
音声通信に関して、移動局５００の全体的な動作は、受信シグナルは好ましくはスピーカー５３４へ出力され、送信用シグナルはマイクロフォン５３６によって生成されるということを除けば、同様である。音声メッセージ記録下位システムのような代替声或いは音Ｉ／Ｏ下位システムは、移動局５００上に実装することも同様に可能である。声或いは音シグナル出力は好ましくは第一にスピーカー５３４を通して完了されるが、ディスプレイ５２２も同様に、例えば通話構成人の識別、音声通話の時間、或いは音声通話関連情報を提供するのに用いられることが出来る。
【００４１】
図５のシリアルポート５３０は、通常、利用者のデスクトップコンピューター（示されていない）との同期が望まれるパーソナルデジタルアシスタント（ＰＤＡ）型移動局に実装されてもよいが、付加的なデバイス部品である。そのようなポート５３０は外部デバイス或いはソフトウェアアプリケーションを通して設定をすることを利用者に可能にし、ワイヤレス通信ネットワークを通す以外で、移動局５００に情報或いはソフトウェアダウンロードを提供することで、移動局５００の能力を発展させる。例えば、代替ダウンロード経路は、直接そしてそれ故に安全デバイス通信を可能にする信頼性があり信用できる接続を通して、デバイス上に暗号化キーを読み込ませることに用いられてもよい。
【００４２】
短範囲通信下位システムのような他の通信下位システム５４０は、必ずしも同様のデバイスである必要はないが、移動局５００及び異なるシステム或いはデバイスの間の通信に提供することが出来る更なる付加的部品である。例えば、下位システム５４０は、同様に可となっているシステム及びデバイスとの通信に提供する赤外線デバイス及び関連回路及び部品或いはＢｌｕｅｔｏｏｔｈＴＭ通信モジュールを含んでよい。
【００４３】
移動局５００が図１−４の技術と併せて用いられるとき、移動局５００の他のデバイス下位システム５４２及び他の部品は、ネットワーク指令サービス状態の装置及び方法を具現化する。
【００４４】
本発明の上記の実施形態はその発明の例のみを意図したものである。当該技術において通常の習熟を有する者は、併記した請求項によって定義されるように、本発明の範囲を外れない代替、変更及び変化を示すことが出来る。
【図１】
2011004417.tif 000003
【図２】
2011004417.tif 000004
【図３】
2011004417.tif 000005
【図４】
2011004417.tif 000006
【図５】
2011004417.tif 000007